(57)【特許請求の範囲】
【請求項１】
容量可変な圧縮機（21）と複数の凝縮器（27）と該各凝縮器（27）に対応する膨張機構（26）とを有して冷凍サイクルを行う冷媒回路（20）と、該冷媒回路（20）を循環する冷媒の凝縮温度Ｔｃが予め定められた設定温度Ｔｃｍに近づくように圧縮機（21）の容量を調整する容量調整手段（6）と、各凝縮器（27）の冷媒出口過冷却度ＳＣが上記各凝縮器（27）に必要な熱交換量に基づいて定められた目標過冷却度ＳＣｓに近づくように膨張機構（26）を通過する冷媒の減圧量を調整する減圧量調整手段（9）とを備えた空気調和装置であって、
上記各凝縮器（27）のみを用いた空気調和装置における成績係数及び冷媒出口過冷却度の関係を該各凝縮器（27）ごとに定めた制御関数を有し、各制御関数で算出される、成績係数を最大にする各過冷却度から冷媒出口過冷却度の最適値を演算する演算手段（4b）と、各凝縮器（27）の目標過冷却度ＳＣｓに基づいて定められた代表値が上記最適値に近づくように、上記設定温度Ｔｃｍを変更する変更手段（5）を備えていることを特徴とする空気調和装置。
【請求項２】
請求項１において、
上記代表値は、各凝縮器（27）ごとに定められた目標過冷却度ＳＣｓの平均値であることを特徴とする空気調和装置。
【請求項３】
請求項２において、
上記平均値は、各凝縮器（27）の熱交換能力に応じて、各凝縮器（27）の目標過冷却度ＳＣｓごとに重み付けした値を平均したものであることを特徴とする空気調和装置。
【請求項４】
請求項１において、
上記代表値ＳＣｓｄは、全ての凝縮器（27）のうち、空気調和装置のユーザーが選択した凝縮器（27）の目標過冷却度ＳＣｓであることを特徴とする空気調和装置。
【請求項５】
容量可変な圧縮機（21）と複数の凝縮器（27）と該各凝縮器（27）に対応する膨張機構（26）とを有して冷凍サイクルを行う冷媒回路（20）と、該冷媒回路（20）を循環する冷媒の凝縮温度Ｔｃが予め定められた設定温度Ｔｃｍに近づくように圧縮機（21）の容量を調整する容量調整手段（6）と、各凝縮器（27）の冷媒出口過冷却度ＳＣが上記各凝縮器（27）に必要な熱交換量に基づいて定められた目標過冷却度ＳＣｓに近づくように膨張機構（26）を通過する冷媒の減圧量を調整する減圧量調整手段（9）とを備えた空気調和装置であって、
上記各凝縮器（27）とは別の凝縮器を用いた空気調和装置における成績係数及び冷媒出口過冷却度の関係を定めた制御関数を有し、該制御関数で算出される、成績係数を最大にする過冷却度から冷媒出口過冷却度の最適値を演算する演算手段（4b）と、各凝縮器（27）の目標過冷却度ＳＣｓに基づいて定められた代表値が上記最適値に近づくように、上記設定温度Ｔｃｍを変更する変更手段（5）を備えていることを特徴とする空気調和装置。
【請求項６】
請求項５において、
上記代表値ＳＣｓｄは、各凝縮器（27）ごとに定められた目標過冷却度ＳＣｓの平均値であることを特徴とする空気調和装置。
【請求項７】
請求項６において、
上記平均値は、各凝縮器（27）の熱交換能力に応じて、各凝縮器（27）の目標過冷却度ＳＣｓごとに重み付けした値を平均したものであることを特徴とする空気調和装置。
【請求項８】
請求項５において、
上記代表値ＳＣｓｄは、全ての凝縮器（27）のうち、空気調和装置のユーザーが選択した凝縮器（27）の目標過冷却度ＳＣｓであることを特徴とする空気調和装置。
【請求項９】
請求項１から３または５から７の何れか１つにおいて、
上記変更手段（5）は、各冷媒出口過冷却度ＳＣのうち最も小さな値が所定の下限値を下回ると、設定温度Ｔｃｍを低下させる変更動作を禁止するように構成されていることを特徴とする空気調和装置。
【発明の詳細な説明】
【技術分野】
【０００１】
本発明は、冷凍サイクルを行う冷媒回路を備えた空気調和装置に関し、特に複数の凝縮器が接続された冷媒回路を備えた空気調和装置の運転制御技術に関するものである。
【背景技術】
【０００２】
従来より、冷媒が循環して冷凍サイクルを行う冷媒回路を備えた空気調和装置が知られている。そして、この空気調和装置の中には、１台の室外機に対して複数台の室内機が並列に接続された、いわゆるマルチタイプの空気調和装置がある（例えば特許文献１参照）。
【０００３】
この空気調和装置では、室外機に室外回路が設けられ、室内機に室内回路が設けられている。室外回路には、圧縮機、四路切換弁、室外熱交換器、室外膨張弁、レシーバ等が設けられている。室内回路には、室内熱交換器と室内膨張弁とが設けられている。そして、空気調和装置の冷媒回路は、室外回路に対して複数の室内回路を並列に接続して構成されている。
【０００４】
ところで、この空気調和装置の暖房運転時に、各室内機の熱交換量を調整する方法のひとつとして、圧縮機の容量制御及び室内膨張弁による冷媒出口過冷却度制御がある。上記圧縮機の容量制御は、圧縮機の吐出側に設けられた冷媒圧力センサで検出した検出圧力に基づいて行われる。具体的には、上記検出圧力から算出した圧力相当の飽和温度（凝縮温度）が、予め定められた凝縮温度（以下、設定温度）に近づくように、圧縮機の運転周波数を調整している。
【０００５】
この構成によれば、圧縮機の容量制御において、現在の凝縮温度が設定温度よりも高い場合には、圧縮機の運転周波数を下げて該圧縮機の容量を減少させる。すると、圧縮機の消費電力が小さくなるとともに凝縮温度が低くなって、該凝縮温度が設定温度に近づく。逆に、現在の凝縮温度が設定温度よりも低い場合には、圧縮機の運転周波数を上げて該圧縮機の容量を増加させる。すると、圧縮機の消費電力が大きくなるとともに凝縮温度が高くなって、該凝縮温度が設定温度に近づく。
【０００６】
一方、上記冷媒出口過冷却度制御は、各室内熱交換器の出口側に設けられた冷媒出口温度センサで検出した検出温度と上記圧縮機の吐出側に設けられた冷媒圧力センサで検出した検出圧力とに基づいて行われる。具体的には、検出温度と検出圧力から算出した各室内機ごとの冷媒出口過冷却度が、各室内熱交換器に必要な熱交換量に応じて定められた目標過冷却度となるように、室内熱交換器に対応する室内膨張弁の開度を調整している。ここで、室内熱交換器に必要な熱交換量は、室内熱交換器が設置された室内の室内設定温度と室内温度との偏差に基づいて決定されている。
【０００７】
この構成によれば、冷媒出口過冷却度制御において、室内温度が室内設定温度よりも高い場合には、上記目標過冷却度を現在よりも高く設定する。すると、現在の冷媒出口過冷却度と目標過冷却度との間に偏差が生じ、この偏差が小さくなるように室内膨張弁の開度が小さくなる。逆に、室内温度が室内設定温度よりも低い場合には、上記目標過冷却度を現在よりも低く設定する。すると、現在の冷媒出口過冷却度と目標過冷却度との間に偏差が生じ、この偏差が小さくなるように室内膨張弁の開度が大きくなる。このように室内膨張弁の開度を調節し、室内熱交換器を流れる冷媒流量を調整することにより、室内熱交換器の熱交換量を増減させて、室内温度を室内設定温度に近づけている。
【特許文献１】特開２０００−０４６４０１号公報
【発明の開示】
【発明が解決しようとする課題】
【０００８】
しかしながら、従来のマルチタイプの空気調和装置において、上述したような冷媒出口過冷却度制御を行えば、各室内機の室内温度が室内設定温度に近づくように各室内機の熱交換量を調整できるものの、それらの熱交換量を得るために必要な圧縮機の消費電力を考慮して、上記設定温度が定められていない。このため、空気調和装置の運転状態によっては、所期の熱交換量に対する圧縮機の消費電力が大きくなってしまうという問題がある。
【０００９】
本発明は、かかる点に鑑みてなされたものであり、その目的は、複数の凝縮器を有する冷媒回路を備えた空気調和装置において、各凝縮器に必要な熱交換量を得るための圧縮機の消費電力をできるだけ抑えて、空気調和装置の成績係数（ＣＯＰ）が低下しないようにすることである。
【課題を解決するための手段】
【００１０】
第１の発明は、容量可変な圧縮機（21）と複数の凝縮器（27）と該各凝縮器（27）に対応する膨張機構（26）とを有して冷凍サイクルを行う冷媒回路（20）と、該冷媒回路（20）を循環する冷媒の凝縮温度Ｔｃが予め定められた設定温度Ｔｃｍに近づくように圧縮機（21）の容量を調整する容量調整手段（6）と、各凝縮器（27）の冷媒出口過冷却度ＳＣが上記各凝縮器（27）に必要な熱交換量に基づいて定められた目標過冷却度ＳＣｓに近づくように膨張機構（26）を通過する冷媒の減圧量を調整する減圧量調整手段（9）とを備えた空気調和装置を前提としている。
【００１１】
そして、この空気調和装置において、各凝縮器（27）のみを用いた空気調和装置における成績係数及び冷媒出口過冷却度の関係を該各凝縮器（27）ごとに定めた制御関数を有し、各制御関数で算出される、成績係数を最大にする各過冷却度から冷媒出口過冷却度の最適値を演算する演算手段（4b）と、各凝縮器（27）の目標過冷却度ＳＣｓに基づいて定められた代表値が上記最適値に近づくように、上記設定温度Ｔｃｍを変更する変更手段（5）を備えていることを特徴としている。
【００１２】
第１の発明では、上記代表値ＳＣｓｄが上記最適値ＳＣｏｐよりも大きいまたは小さい場合に、上記代表値ＳＣｓｄが上記最適値ＳＣｏｐに近づくように上記設定温度Ｔｃｍを変更することができる。言い換えれば、上記設定温度Ｔｃｍを現在よりも少しずつ低い値または高い値に変更していき、上記代表値ＳＣｓｄと上記最適値ＳＣｏｐの差を所定の値以下にすることができる。
【００１３】
各凝縮器（27）での発生能力は、各凝縮器（27）の出入口エンタルピ差と各凝縮器（27）の冷媒循環量の積であるので、同一能力を発生させる場合、上記エンタルピ差を大きくすれば上記冷媒循環量を減らして、圧縮機（21）の回転数を低下させることができる。しかし、その場合、上記エンタルピ差を大きくするためには、各凝縮器（27）の出口過冷却度ＳＣを大きくする必要があるので、同時に高圧圧力を上昇させる必要がある。圧縮機（21）の消費電力は回転数を低下させれば減少するが、高圧圧力が上昇し高低差圧が増加すると増えるので、圧縮機（21）の消費電力を最小とする上記代表値ＳＣｓｄの最適値ＳＣｏｐが存在する。
【００１４】
上記最適値ＳＣｏｐは、各凝縮器（27）のみを用いた空気調和装置における成績係数及び冷媒出口過冷却度の関係を該各凝縮器（27）ごとに定めた各制御関数で算出される、成績係数を最大にする各過冷却度から演算手段（4b）で決定される。
【００１５】
上記代表値ＳＣｓｄが上記最適値ＳＣｏｐよりも高い場合は、設定温度Ｔｃｍが現在よりも低い値に変更され、上記容量調整手段（6）において、現在の凝縮温度Ｔｃがその設定温度Ｔｃｍに近づくように、圧縮機（21）の容量を減少させる。圧縮機（21）の容量が減少すると、各凝縮器（27）を流れる冷媒の流量が減少し、該各凝縮器（27）の熱交換量が減少する。上記減圧量調整手段（9）は、この減少した熱交換量を補うように、目標過冷却度ＳＣｓを現在よりも低い値に設定する。これにより、上記代表値ＳＣｓｄが上記最適値ＳＣｏｐに近づき、圧縮機（21）の消費電力を設定温度Ｔｃｍの変更前に比べて小さくすることができる。
【００１６】
一方、上記代表値ＳＣｓｄが上記最適値ＳＣｏｐよりも低い場合は、設定温度Ｔｃｍが現在よりも高い値に変更され、上記容量調整手段（6）において、現在の凝縮温度Ｔｃがその設定温度Ｔｃｍに近づくように、圧縮機（21）の容量を増加させる。圧縮機（21）の容量が増加すると、各凝縮器（27）を流れる冷媒の流量が増加し、該各凝縮器（27）の熱交換量が増加する。上記減圧量調整手段（9）は、この増加した熱交換量を減らすように、目標過冷却度ＳＣｓを現在よりも高い値に設定する。これにより、上記代表値ＳＣｓｄが上記最適値ＳＣｏｐに近づき、圧縮機（21）の消費電力を設定温度Ｔｃｍの変更前に比べて小さくすることができる。
【００１７】
第２の発明は、第１の発明において、上記代表値ＳＣｓｄは、各凝縮器（27）ごとに定められた目標過冷却度ＳＣｓの平均値であることを特徴としている。
【００１８】
第２の発明では、上記代表値ＳＣｓｄを、各凝縮器（27）ごとに定められた目標過冷却度ＳＣｓの平均値にしているので、簡単な計算により上記代表値ＳＣｓｄを求めることができる。従って簡単な計算で上記設定温度Ｔｃｍを適切に変更することができ、空気調和装置の運転状態に応じて、圧縮機（21）の消費電力を適切に小さくすることができる。
【００１９】
第３の発明は、第２の発明において、上記平均値は、各凝縮器（27）の熱交換能力に応じて、各凝縮器（27）の目標過冷却度ＳＣｓごとに重み付けした値を平均したものであることを特徴としている。
【００２０】
第３の発明では、上記平均値を各凝縮器（27）の熱交換能力に応じて、各凝縮器（27）の目標過冷却度ＳＣｓごとに重み付けした値を平均して求めているので、熱交換している能力の大小に応じて、平均値に与える影響を変更することができる。これによって各凝縮器（27）の過冷却度ＳＣをより最適な値に近づけることができ、上記設定温度Ｔｃｍをより適切に変更することができ、空気調和装置の運転状態に応じて、圧縮機（21）の消費電力を適切に小さくすることができる。
第４の発明は、第１の発明において、上記代表値ＳＣｓｄは全ての凝縮器（27）のうち、空気調和装置のユーザーが選択した凝縮器（27）の目標過冷却度ＳＣｓであることを特徴としている。
第４の発明では、上記代表値ＳＣｓｄをユーザーが選択した凝縮器（27）の目標過冷却度ＳＣｓとしているので、ユーザーの要求に応じて空気調和装置の運転状態を適切に変更することができ、自動制御で最適化ができない場合も圧縮機（21）の消費電力を適切に小さくすることができる。
【００２１】
第５の発明は、容量可変な圧縮機（21）と複数の凝縮器（27）と該各凝縮器（27）に対応する膨張機構（26）とを有して冷凍サイクルを行う冷媒回路（20）と、該冷媒回路（20）を循環する冷媒の凝縮温度Ｔｃが予め定められた設定温度Ｔｃｍに近づくように圧縮機（21）の容量を調整する容量調整手段（6）と、各凝縮器（27）の冷媒出口過冷却度ＳＣが上記各凝縮器（27）に必要な熱交換量に基づいて定められた目標過冷却度ＳＣｓに近づくように膨張機構（26）を通過する冷媒の減圧量を調整する減圧量調整手段（9）とを備えた空気調和装置を前提としている。
【００２２】
そして、上記空気調和装置の各凝縮器（27）とは別の凝縮器を用いた空気調和装置における成績係数及び冷媒出口過冷却度の関係を定めた制御関数を有し、該制御関数で算出される、成績係数を最大にする過冷却度から冷媒出口過冷却度の最適値を演算する演算手段（4b）と、各凝縮器（27）の目標過冷却度ＳＣｓに基づいて定められた代表値が上記最適値に近づくように、上記設定温度Ｔｃｍを変更する変更手段（5）を備えていることを特徴としている。
【００２３】
ここで、別の凝縮器について説明すると、凝縮器の設計を行う場合には、容量ごと又は形状ごとにいくつかのグループに分け、そのグループから代表的な凝縮器（例えば、グループの中で平均的な容量を有する凝縮器）について設計が行われる。そして、その代表的な凝縮器、又は代表的な凝縮器に基づいて、上記凝縮器（27）が設計される。このことから、別の凝縮器とは、上記凝縮器（27）が含まれるグループのうちの代表的な凝縮器をいう。
第５の発明では、第１の発明のように各凝縮器（27）ごとに定めた各制御関数を用いる代わりに、別の凝縮器における制御関数を用いたので、凝縮器毎に制御関数を持つ必要がなく、簡単な方法で上記最適値ＳＣｏｐを算出することができる。
【００２４】
第６の発明は、第５の発明において、上記代表値ＳＣｓｄは、各凝縮器（27）ごとに定められた目標過冷却度ＳＣｓの平均値であることを特徴としている。
【００２５】
第６の発明では、上記代表値ＳＣｓｄを、各凝縮器（27）ごとに定められた目標過冷却度ＳＣｓの平均値にしているので、簡単な計算により上記代表値ＳＣｓｄを求めることができる。従って簡単な計算で上記設定温度Ｔｃｍを適切に変更することができ、空気調和装置の運転状態に応じて、圧縮機（21）の消費電力を適切に小さくすることができる。
【００２６】
第７の発明は、第６の発明において、上記平均値は、各凝縮器（27）の熱交換能力に応じて、各凝縮器（27）の目標過冷却度ＳＣｓごとに重み付けした値を平均したものであることを特徴としている。
【００２７】
第７の発明では、上記平均値を各凝縮器（27）の熱交換能力に応じて、各凝縮器（27）の目標過冷却度ＳＣｓごとに重み付けした値を平均して求めているので、熱交換している能力の大小に応じて、平均値に与える影響を変更することができる。これによって各凝縮器（27）の過冷却度ＳＣをより最適な値に近づけることができ、上記設定温度Ｔｃｍをより適切に変更することができ、空気調和装置の運転状態に応じて、圧縮機（21）の消費電力を適切に小さくすることができる。
第８の発明は、第５の発明において、上記代表値ＳＣｓｄは全ての凝縮器（27）のうち、空気調和装置のユーザーが選択した凝縮器（27）の目標過冷却度ＳＣｓであることを特徴としている。
第８の発明では、上記代表値ＳＣｓｄをユーザーが選択した凝縮器（27）の目標過冷却度ＳＣｓとしているので、ユーザーの要求に応じて空気調和装置の運転状態を適切に変更することができ、自動制御で最適化ができない場合も圧縮機（21）の消費電力を適切に小さくすることができる。
第９の発明は、第１から３または５から７の発明の何れか１つにおいて、上記変更手段（5）は、各冷媒出口過冷却度ＳＣのうち最も小さな値ＳＣｓｍが所定の下限値を下回ると、設定温度Ｔｃｍを低下させる変更動作を禁止するように構成されていることを特徴としている。
【００２８】
第９の発明では、上記最小目標過冷却度ＳＣｓｍが上記所定の下限値を下回ると、上記設定温度Ｔｃｍを低下させる変更動作を禁止したため、凝縮器（27）の冷媒出口過冷却度ＳＣが低くなりすぎて、二相状態になることを防止することができる。したがって、この所定の下限値は、設定温度Ｔｃｍの変更後に凝縮器（27）の冷媒出口側が二相状態ならない程度の値にするのが好ましい。凝縮器（27）から流出する冷媒が二相状態になると、過冷却度の制御ができなくなるためである。
【発明の効果】
【００２９】
本発明によれば、従来の空気調和装置とは違い、各凝縮器（27）の目標過冷却度ＳＣｓに基づいて算出された上記代表値ＳＣｓｄが上記最適値ＳＣｏｐよりも大きいまたは小さい場合に、上記設定温度Ｔｃｍを上記代表値が上記最適値に近づくように変更することができる。言い換えれば、上記設定温度Ｔｃｍを最適値に近づけることができる。そして、この変更した設定温度Ｔｃｍに凝縮温度Ｔｃが近づくことにより、各凝縮器（27）の熱交換量を設定温度Ｔｃｍの変更前と同一に保ちつつ、圧縮機（21）の消費電力を設定温度Ｔｃｍの変更前に比べて小さくすることができる。したがって、複数の凝縮器（27）を有する冷媒回路（20）を備えた空気調和装置において、各凝縮器（27）に必要な熱交換量を得るための圧縮機（21）の消費電力をできるだけ抑えて、空気調和装置の成績係数（ＣＯＰ）が低下しないようにすることができる。
【００３０】
また、上記第２の発明によれば、上記代表値ＳＣｓｄを、各凝縮器（27）の目標過冷却度ＳＣｓの平均値にしているので、簡単な計算で上記設定温度Ｔｃｍを適切に変更することができる。したがって、空気調和装置の運転状態に応じて、各凝縮器に必要な熱交換量を得るための圧縮機（21）の消費電力を適切に抑えて、空気調和装置の成績係数が低下しないようにすることができる。
【００３１】
また、上記第３の発明によれば、上記平均値を各凝縮器（27）の熱交換能力に応じて、各目標過冷却度ＳＣｓに重み付けした値を平均して求めているので、熱交換している能力の大小に応じて、平均値に与える影響を変更することができる。したがって、凝縮器（27）の容量に応じて、圧縮機（21）の消費電力をさらに適切に抑えて、空気調和装置の成績係数が低下しないようにすることができる。
また、上記第４の発明によれば、上記代表値ＳＣｓｄをユーザーが選択した凝縮器（27）の目標過冷却度ＳＣｓにしているので、ユーザーの要求に応じて空気調和装置の運転状態を適切に変更することができる。したがって自動制御で最適化ができない場合も圧縮機（21）の消費電力を適切に小さくすることができる。
また、上記第５の発明によれば、各凝縮器（27）ごとに定めた各制御関数を用いる代わりに、別の凝縮器での制御関数を用いたので、凝縮器毎に制御関数を持つ必要がなく、簡単な方法で上記最適値ＳＣｏｐを算出することができる。したがって、複数の凝縮器（27）を有する冷媒回路（20）を備えた空気調和装置において、より簡単な方法で各凝縮器（27）に必要な熱交換量を得るための圧縮機（21）の消費電力をできるだけ抑えて、空気調和装置の成績係数（ＣＯＰ）が低下しないようにすることができる。
【００３２】
また、上記第６の発明によれば、上記代表値ＳＣｓｄを、各凝縮器（27）ごとに定められた目標過冷却度ＳＣｓの平均値にしているので、簡単な計算により上記代表値ＳＣｓｄを求めることができる。したがって、空気調和装置の運転状態に応じて、各凝縮器に必要な熱交換量を得るための圧縮機（21）の消費電力を適切に抑えて、空気調和装置の成績係数が低下しないようにすることができる。
【００３３】
また、上記第７の発明によれば、上記平均値を各凝縮器（27）の熱交換能力に応じて、各目標過冷却度ＳＣｓに重み付けした値を平均して求めているので、熱交換している能力の大小に応じて、平均値に与える影響を変更することができる。したがって、凝縮器（27）の容量に応じて、圧縮機（21）の消費電力をさらに適切に抑えて、空気調和装置の成績係数が低下しないようにすることができる。
また、第８の発明によれば、上記代表値ＳＣｓｄをユーザーが選択した凝縮器（27）の目標過冷却度ＳＣｓにしているので、ユーザーの要求に応じて空気調和装置の運転状態を適切に変更することができる。したがって自動制御で最適化ができない場合も圧縮機（21）の消費電力を適切に小さくすることができる。
【００３４】
また、第９の発明によれば、上記最小目標過冷却度ＳＣｓｍが上記所定の下限値を下回ると、上記設定温度Ｔｃｍを低下させる変更動作を禁止したため、凝縮器（27）の冷媒出口過冷却度ＳＣが低くなりすぎて、二相状態になることを防止することができる。したがって、凝縮器（27）から流出する冷媒が二相状態になることを防いで、安定的に過冷却度の制御をすることができる。
【発明を実施するための最良の形態】
【００３５】
以下、本発明の実施形態を図面に基づいて詳細に説明する。
【００３６】
図１に本実施形態の空気調和装置における冷媒回路図を示す。本実施形態の空気調和装置（10）は、室外機（11）と複数の室内機（12）とを備えたマルチタイプの空気調和装置であり、冷暖房運転が可能に構成されている。尚、上記室外機（11）は屋外に設置され、各室内機（12）はそれぞれ室内空間ごとに設置されている。そして、この空気調和装置（10）は、図１に示すように、冷媒回路（20）とコントローラ（1）と各室内機（12）に対応するリモコン（7）とを備えている。
【００３７】
〈冷媒回路〉
上記冷媒回路（20）には、圧縮機（21）と、四路切換弁（22）と、室外熱交換器（23）と、室外膨張弁（24）と、レシーバ（25）と、逆止弁ブリッジ回路（34）と、室内膨張弁（膨張機構）（26）及び室内熱交換器（凝縮器）（27）とが接続されている。そして、上記圧縮機（21）と四路切換弁（22）と室外熱交換器（23）と室外膨張弁（24）とレシーバ（25）とが室外機（11）に設置され、上記室内膨張弁（26）及び室内熱交換器（27）が室内機（12）に設置されている。ここで、上記室外機（11）において、室外熱交換器（23）の近傍には室外ファン（28）が設けられている。又、上記室内機（12）において、室内熱交換器（27）の近傍には室内ファン（29）が設けられている。
【００３８】
具体的に、上記冷媒回路（20）において  、圧縮機（21）は、吐出側が四路切換弁（22）の第１ポートに、吸入側が四路切換弁（22）の第２ポートにそれぞれ接続されている。また、冷媒回路（20）では、四路切換弁（22）の第３ポートから第４ポートへ向かって順に、室外熱交換器（23）、室外膨張弁（24）、逆止弁ブリッジ回路（34）、レシーバ（25）、室内膨張弁（26）及び室内熱交換器（27）が配置されている。尚、上記室内熱交換器（27）は２台設けられ、各室内熱交換器（27）は互いに並列配置されている。又、各室内熱交換器（27）毎に室内膨張弁（26）が設けられている。
【００３９】
上記逆止弁ブリッジ回路（34）は、第１〜第４逆止弁（CV1,CV2,CV3,CV4）を備え、各逆止弁は、図１に示すように、互いに冷媒配管で接続されている。上記室外膨張弁（24）から延びる冷媒配管が、第１逆止弁（CV1）と第４逆止弁（CV4）との間に接続されている。各室内膨張弁（26）から延びる冷媒配管は合流して、第２逆止弁（CV2）と第３逆止弁（CV3）との間に接続されている。上記レシーバ（25）に設けられた冷媒入口部から延びる冷媒配管は、第３逆止弁（CV3）と第４逆止弁（CV4）との間に接続されている。上記レシーバ（25）に設けられた冷媒出口部から延びる冷媒配管は、第１逆止弁（CV1）と第２逆止弁（CV2）との間に接続されている。
【００４０】
尚、第１逆止弁（CV1）はレシーバ（25）の冷媒出口部から室外熱交換器（23）へ向かう流れを許容する向きに、第２逆止弁（CV2）はレシーバ（25）の冷媒出口部から各室内膨張弁（26）へ向かう流れを許容する向きに、第３逆止弁（CV3）は各室内膨張弁（26）からレシーバ（25）の冷媒入口部へ向かう流れを許容する向きに、第４逆止弁（CV4）は室外熱交換器（23）からレシーバ（25）の冷媒入口部へ向かう流れを許容する向きに、それぞれ取り付けられている。
【００４１】
上記圧縮機（21）は全密閉型であって、該圧縮機（21）に電気的に接続されたインバータ（図示省略）により容量可変に構成されている。この圧縮機（21）は、吸入した冷媒を所定圧力まで圧縮して吐出するように構成されている。室外熱交換器（23）は、室外ファン（28）によって取り込まれた室外空気と冷媒が熱交換する空気熱交換器を構成している。各室内熱交換器（27）は、各室内ファン（29）によって取り込まれた室内空気と冷媒が熱交換する空気熱交換器を構成している。室外膨張弁（24）および室内膨張弁（26）は、いずれも開度可変の電子膨張弁によって構成されている。
【００４２】
上記レシーバ（25）は、縦長の円筒状に形成された密閉容器で構成されており、該密閉容器には冷媒流入口と冷媒流出口とが設けられている。そして、上記冷媒流入口から流入した冷媒を、一時的に容器内に貯留しつつ、その貯留した冷媒を上記冷媒流出口から流出することができるように構成されている。
【００４３】
上記四路切換弁（22）は、第１ポートと第４ポートが連通し且つ第２ポートと第３ポートが連通する第１状態（図１に実線で示す状態）と、第１ポートと第３ポートが連通し且つ第２ポートと第４ポートが連通する第２状態（図１に破線で示す状態）とに切り換え可能となっている。
つまり、冷媒回路（20）において、四路切換弁（22）が第１状態の場合、冷媒が暖房サイクルで循環し、室内熱交換器（27）が凝縮器として、室外熱交換器（23）が蒸発器としてそれぞれ機能する。また、冷媒回路（20）において、四路切換弁（22）が第２状態の場合、冷媒が冷房サイクルで循環し、室内熱交換器（27）が蒸発器として、室外熱交換器（23）が凝縮器としてそれぞれ機能する。
【００４４】
上記冷媒回路（20）には、室内温度センサ（31）と、第１冷媒温度センサ（32）と、第２冷媒温度センサ（33）とが設けられている。室内温度センサ（31）は、室内熱交換器（27）における室内空気の吸込温度Ｔａを検出するものである。第２冷媒温度センサ（33）は、冷媒回路（20）において冷媒が暖房サイクルで循環するときに、室内熱交換器（27）の冷媒出口温度Ｔｏｕｔを検出するものである。第１冷媒温度センサ（32）は、冷媒回路（20）において冷媒が冷房サイクルで循環するときに、室内熱交換器（27）の冷媒出口温度を検出するものである。又、上記冷媒回路（20）には、該冷媒回路（20）の高圧圧力を検知する高圧圧力センサ（36）と該冷媒回路（20）低圧圧力を検出する低圧圧力センサ（35）が設けられている。
【００４５】
〈コントローラ〉
上記コントローラ（1）は、空気調和装置（10）の運転制御を行うものである。上記コントローラ（1）には、空気調和装置（10）の各部に設けられたセンサ類、及び空気調和装置（10）の運転指令を行うリモコン（7）が電気配線を介して接続されている。又、上記コントローラ（1）には、圧縮機（21）、インバータ、四路切換弁（22）、室外膨張弁（24）、室内膨張弁（26）等のアクチュエータ類が電気配線を介してそれぞれ接続されている。
【００４６】
そして、上記コントローラ（1）は、上記センサ類から入力される検出信号及びリモコン（7）から入力される操作信号に応じて上記アクチュエータ類を作動することにより、運転制御を行うように構成されている。
【００４７】
図２は、このコントローラ（1）の構成を示すブロック図である。このコントローラ（1）は、図２に示すように、過冷却度算出部（2）と代表目標過冷却度算出部（3）と凝縮温度設定部（4a）と最適目標過冷却度設定部（演算手段）（4b）と変更部（変更手段）（5）とインバータ制御部（容量調整手段）（6）と目標過冷却度設定部（8a）と膨張弁制御部（減圧量調整手段）（9）と制御関数（8b）とを備えている。尚、過冷却度算出部（2）と目標過冷却度設定部（8a）と膨張弁制御部（9）と制御関数（8b）は各室内機（12）ごとにコントローラ（1）に設けられている。
【００４８】
ここで、過冷却度算出部（2）と目標過冷却度設定部（8a）と膨張弁制御部（9）と室内膨張弁（26）により、従来の冷媒出口過冷却度制御が行われる。又、凝縮温度設定部（4a）とインバータ制御部（6）と圧縮機（21）とにより、圧縮機容量制御が行われる。又、凝縮温度の設定変更制御は、代表目標過冷却度算出部（3）と最適目標過冷却度設定部（4b）と変更部（5）と制御関数（8b）で行われる。これらの制御の詳細は後述する。
【００４９】
−運転動作−
〈暖房運転〉
暖房運転時には、四路切換弁（22）が第１状態に設定される。そして、この状態で圧縮機（21）を起動すると、室外熱交換器（23）が蒸発器となり、各室内熱交換器（27）が凝縮器となって暖房サイクルが行われる。
【００５０】
具体的に、圧縮機（21）で圧縮された冷媒は、該圧縮機（21）から吐出される。圧縮機（21）から吐出された冷媒は、四路切換弁（22）を通過した後で分岐して、室内熱交換器（27）に流れる。室内熱交換器（27）に流入した冷媒は、室内空気へ放熱した後で室内熱交換器（27）を流出する。このとき、冷媒の放熱によって室内空気は加熱され、この加熱された室内空気が室内へ供給される。該室内熱交換器（27）を流出した冷媒は、室内膨張弁（26）に流入する。該室内膨張弁（26）に流入した冷媒は、該室内膨張弁（26）により減圧された後で室内膨張弁（26）を流出する。各室内膨張弁（26）を流出した冷媒は合流した後、逆止弁ブリッジ回路（34）を経てレシーバ（25）に流入する。該レシーバ（25）では、二相状態の冷媒が容器内に一時的に貯留されるとともに、貯留された液冷媒が該レシーバ（25）を流出する。
【００５１】
上記レシーバ（25）を流出した冷媒は、逆止弁ブリッジ回路（34）を通過した後、上記室外膨張弁（24）に流入する。該室外膨張弁（24）に流入した冷媒は、所定の圧力まで減圧された後で該室外膨張弁（24）を流出し、室外熱交換器（23）に流入する。該室外熱交換器（23）に流入した冷媒は、室外空気から吸熱して蒸発した後で該室外熱交換器（23）を流出する。該室外熱交換器（23）を流出した冷媒は、四路切換弁（22）を経て圧縮機（21）に吸入され、再び圧縮された後で該圧縮機（21）から吐出される。このように冷媒が循環することにより、空気調和装置の暖房運転が行われる。
【００５２】
〈冷房運転〉
次に、上記空気調和装置（10）の運転動作について説明する。
【００５３】
先ず、冷房運転時には、四路切換弁（22）が第２状態に設定される。そして、この状態で圧縮機（21）を起動すると、室外熱交換器（23）が凝縮器となり、各室内熱交換器（27）が蒸発器となって冷房サイクルが行われる。
【００５４】
具体的に、圧縮機（21）で圧縮された冷媒は、該圧縮機（21）から吐出された後、四路切換弁（22）を経て室外熱交換器（23）に流れる。室外熱交換器（23）に流入した冷媒は、室外空気へ放熱した後で室外熱交換器（23）を流出し、室外膨張弁（24）に流入する。該室外膨張弁（24）に流入した冷媒は、該室外膨張弁（24）で減圧された後で該室外膨張弁（24）を流出し、二相状態の冷媒が逆止弁ブリッジ回路（34）を経てレシーバ（25）に流入する。該レシーバ（25）では、二相状態の冷媒が容器内に一時的に貯留されるとともに、貯留された液冷媒が該レシーバ（25）を流出する。
【００５５】
上記レシーバ（25）を流出した冷媒は、逆止弁ブリッジ回路（34）を通過した後で分岐して、各室内膨張弁（26）に流入する。該室内膨張弁（26）に流入した冷媒は、所定の圧力まで減圧された後で該室内膨張弁（26）を流出し、室内熱交換器（27）に流入する。該室内熱交換器（27）に流入した冷媒は、室内空気から吸熱して蒸発した後で該室内熱交換器（27）を流出する。このとき、室内空気は冷媒から熱を奪われて冷却され、この冷却された室内空気が室内へ供給される。該各室内熱交換器（27）を流出した冷媒は合流した後、四路切換弁（22）を経て圧縮機（21）に吸入され、再び圧縮された後で該圧縮機（21）から吐出される。このように冷媒が循環することにより、空気調和装置の冷房運転が行われる。
【００５６】
〈コントローラによる運転制御〉
次に、暖房運転時に行われる運転制御について、図２を用いて説明する。まず、上記冷媒出口過冷却度制御と上記圧縮機容量制御について説明した後、凝縮温度の設定変更制御について説明する。
【００５７】
上記冷媒出口過冷却度制御において、上記各リモコン（7）から出力された室内設定温度Ｔｓ及び上記各室内温度センサ（31）からフィードバックされた吸込温度Ｔａに基づいて偏差ｅ１が演算される。具体的に、上記偏差ｅ１は室内設定温度Ｔｓから吸込温度Ｔａを差し引いた値であり、この偏差ｅ１が、各目標過冷却度設定部（8a）に入力される。
【００５８】
上記各目標過冷却度設定部（8a）は、入力された偏差ｅ１を目標過冷却度ＳＣｓに変換して出力する。ここで、目標過冷却度設定部（8a）は、上記偏差ｅ１と目標過冷却度ＳＣｓとの関係が予め定められた関数を有している。この関数に基づいて偏差ｅ１を目標過冷却度ＳＣｓに変換する。
【００５９】
具体的には、吸込温度Ｔａが室内設定温度Ｔｓよりも高い場合には、上記目標過冷却度ＳＣｓを現在よりも高い値に変更する。逆に、吸込温度Ｔａが室内設定温度Ｔｓよりも低い場合には、上記目標過冷却度ＳＣｓを現在よりも低い値に変更する。
【００６０】
上記各目標過冷却度設定部（8a）から出力された目標過冷却度ＳＣｓ、及び各室内機（12）から各過冷却度算出部（2）を経てフィードバックされた冷媒出口過冷却度ＳＣに基づいて各偏差ｅ２が演算される。具体的に、上記各偏差ｅ２は目標過冷却度ＳＣｓから現在の冷媒出口過冷却度ＳＣを差し引いた値であり、この各偏差ｅ２が各膨張弁制御部（9）に入力される。
【００６１】
上記各膨張弁制御部（9）では、入力された偏差ｅ２を膨張弁開度量ΔＥＶに変換して出力する。ここで、各膨張弁制御部（9）は、上記偏差ｅ２と膨張弁開度量ΔＥＶとの関係が予め定められた関数を有している。この関数に基づいて偏差ｅ２を膨張弁開度量ΔＥＶに変換する。
【００６２】
具体的には、現在の冷媒出口過冷却度ＳＣが目標過冷却度ＳＣｓよりも大きい場合には、室内膨張弁（26）の開度値を現在よりも大きい値に変更する。逆に、現在の冷媒出口過冷却度ＳＣが目標過冷却度ＳＣｓよりも小さい場合には、室内膨張弁（26）の開度値を現在よりも小さい値に変更する。そして、室内膨張弁（26）の開度変更に伴って変化した吸込温度Ｔａと冷媒出口温度Ｔｏｕｔとがそれぞれフィードバックされる。
【００６３】
このように室内膨張弁（26）の開度を調節し、室内熱交換器（27）流れる冷媒流量を調整することにより、室内熱交換器（27）の熱交換量を増減させて、吸込温度Ｔａを室内の室内設定温度Ｔｃｍに近づけている。
【００６４】
次に、上記圧縮機容量制御について説明する。
【００６５】
上記凝縮温度設定部（4a）は、冷媒回路（20）を循環する冷媒の凝縮温度Ｔｃを設定するものであり、室外機（11）と室内機（12）を接続する連絡配管の配管長、室外機（11）が設置された屋外の外気温度、及び各リモコン（7）の室内設定温度Ｔｓ等を入力すると、凝縮温度の設定温度Ｔｃｍを出力するように構成されている。この凝縮温度設定部（4a）から出力された設定温度Ｔｃｍは、後述する変更部（5）で必要に応じて設定変更温度Ｔｃｓに変換される。
【００６６】
上記変更部（5）から出力された設定変更温度Ｔｃｓ、及び室外機（11）からフィードバックされた凝縮温度Ｔｃに基づいて偏差ｅ４が演算される。具体的に、上記偏差ｅ４は設定変更温度Ｔｃｓから現在の凝縮温度Ｔｃを差し引いた値であり、この偏差ｅ４が、インバータ制御部（6）に入力される。
【００６７】
上記インバータ制御部（6）では、入力された偏差ｅ４を周波数変更量Δｆに変換して出力する。ここで、インバータ制御部（6）は、上記偏差ｅ４と周波数変更量Δｆとの関係が予め定められた関数を有している。この関数に基づいて偏差ｅ４を周波数変更量Δｆに変換する。
【００６８】
具体的には、現在の凝縮温度Ｔｃが設定変更温度Ｔｃｓよりも低い場合には、圧縮機（21）の周波数を現在よりも高い値に変更する。逆に、現在の凝縮温度Ｔｃが設定変更温度Ｔｃｓよりも高い場合には、圧縮機（21）の周波数を現在よりも低く値に変更する。そして、圧縮機（21）の周波数変更に伴って変化した凝縮温度Ｔｃがフィードバックされる。
【００６９】
このように圧縮機（21）の運転周波数を調節することにより、凝縮温度Ｔｃを設定変更温度Ｔｃｓに近づけている。
【００７０】
次に、凝縮温度の設定変更制御について説明する。
【００７１】
上記最適目標過冷却度設定部（4b）は、空気調和装置（10）が運転を開始すると、各室内機のコントローラに組み込まれた各制御関数（8b）の出力に応じて、最適目標過冷却度ＳＣｏｐを出力するように構成されている。また上記各制御関数（8b）は室内空気の吸込温度Ｔａ、凝縮温度Ｔｃ、ファン回転数Ｆなどから、各室内機の熱交換能力Ｑを算出し、その能力Ｑでの成績係数と過冷却度ＳＣの関係から、最適な過冷却度ＳＣｏを算出し、ＳＣｏとＱを出力する。
【００７２】
一方、上記各目標過冷却度設定部（8）から出力された目標過冷却度ＳＣｓは、それぞれ代表目標過冷却度算出部（3）に入力される。上記代表目標過冷却度算出部（3）では、各目標過冷却度ＳＣｓを入力すると、入力された各目標過冷却度ＳＣｓから代表目標過冷却度ＳＣｓｄを出力する。
【００７３】
上記代表目標過冷却度算出部（3）から出力された代表目標過冷却度ＳＣｓｄ及び上記最適目標過冷却度設定部（4b）から出力された最適目標過冷却度ＳＣｏｐに基づいて偏差ｅ３が演算される。具体的に、上記偏差ｅ３は最適目標過冷却度ＳＣｏｐから代表目標過冷却度ＳＣｓｄを差し引いた値であり、この偏差ｅ３が変更部（5）に入力される。
【００７４】
上記変更部（5）は、上述したように、凝縮温度設定部（4a）から出力された設定温度Ｔｃｍを、必要に応じて設定変更温度Ｔｃｓに変換して出力するように構成されている。
【００７５】
上記変更部（5）は、入力された偏差ｅ３と設定変更温度Ｔｃｓとの関係が予め定められた関数を有している。この関数に基づいて偏差ｅ３を設定変更温度Ｔｃｓに変換する。
【００７６】
具体的には、上記偏差ｅ３がゼロ以下の場合、つまり最適目標過冷却度ＳＣｏｐが代表目標過冷却度ＳＣｓｄ以下の場合には、設定変更温度Ｔｃｓを現在の設定温度Ｔｃｍよりも小さい値に変換する。
【００７７】
一方、上記偏差ｅ３がゼロより大きい場合、つまり最適目標過冷却度ＳＣｏｐが代表目標過冷却度ＳＣｓｄよりも大きい場合には、設定変更温度Ｔｃｓを現在の設定温度Ｔｃｍよりも大きい値に変換する。
【００７８】
−実施形態の効果−
本実施形態によれば、従来の空気調和装置とは違い、各室内熱交換器（27）の目標過冷却度ＳＣｓに基づいて、設定温度Ｔｃｍを現在よりも最適な値である設定変更温度Ｔｃｓに変更することができる。そして、この設定変更温度Ｔｃｓに凝縮温度Ｔｃが近づくことにより、各室内熱交換器（27）の熱交換量を設定温度Ｔｃｍの変更前と変化しないようにしつつ、圧縮機（21）の消費電力を設定温度Ｔｃｍの変更前に比べて小さくすることができる。したがって、複数の室内熱交換器（27）を有する冷媒回路（20）を備えた空気調和装置において、各室内熱交換器（27）に必要な熱交換量を得るための圧縮機（21）の消費電力をできるだけ抑えて、空気調和装置の成績係数（ＣＯＰ）が低下しないようにすることができる。
【００７９】
又、本実施形態によれば、上記設定温度Ｔｃｍを設定変更温度Ｔｃｓに変更する際の変更量を、最適目標過冷却度ＳＣｏｐと代表目標過冷却度ＳＣｓｄとの偏差に基いて設定することができる。したがって、空気調和装置の運転状態に応じて、各凝縮器に必要な熱交換量を得るための圧縮機（21）の消費電力を適切に抑えて、空気調和装置の成績係数が低下しないようにすることができる。
【００８０】
《その他の実施形態》
上記実施形態については、以下のような構成としてもよい。
【００８１】
本実施形態では、膨張機構として室内膨張弁（26）を用いているが、これに限定されず、例えば、膨張機構として膨張機を用いてもよい。
【００８２】
本実施形態では、上記各目標過冷却度設定部（8a）、上記各膨張弁制御部（9）、上記インバータ制御部（6）、及び上記変更部（5）は、それぞれ予め定められた関数に基づいて、入力された偏差を出力値に変換している。しかし、これに限定されず、この関数に代えてフィードバック制御、又はフィードバック制御とフィードフォワード制御の組み合わせにより、入力された偏差を出力値に変換してもよい。
【００８３】
本実施形態では、フィードバック方式により、コントローラ（1）が冷媒出口過冷却度制御と圧縮機容量制御と凝縮温度の設定変更制御とを行っていたが、これに限定されず、例えば、モデルベース方式や非干渉化方式により、これらの制御を行ってもよい。
【００８４】
本実施形態では、上記コントローラ（1）において、上記代表目標過冷却度ＳＣｓｄが上記最適目標過冷却度ＳＣｏｐよりも大きい場合に、変更部（5）が、上記設定温度Ｔｃｍを現在よりも低い値である設定変更温度Ｔｃｓに変更するように構成されているが、これに限定されず、例えば、上記設定温度Ｔｃｍを現在よりも少しずつ低い値に変更していき、上記代表目標過冷却度ＳＣｓｄが上記最適目標過冷却度ＳＣｏｐ以下になると、設定温度Ｔｃｍの変更を停止するように構成してもよい。
【００８５】
本実施形態では、目標過冷却度設定部（8）、膨張弁制御部（9）、インバータ制御部（6）、変更部（5）が有する関数は、数式であってもよいし、その数式に基づいて作成したマップであってもよい。尚、上記マップを用いれば、数式とは違い、煩雑な計算を避けることができる。
【００８６】
本実施形態では、上記空気調和装置が冷暖切換式のものについて説明したが、これに限定されず、暖房専用の空気調和装置であってもよい。
【００８７】
なお、以上の実施形態は、本質的に好ましい例示であって、本発明、その適用物、あるいはその用途の範囲を制限することを意図するものではない。
【産業上の利用可能性】
【００８８】
以上説明したように、本発明は、複数の凝縮器が接続された冷媒回路を備えた空気調和装置の運転制御技術について有用である。
【図面の簡単な説明】
【００８９】
【図１】本発明の実施形態に係る空気調和装置の冷媒回路図である。
【図２】コントローラの構成を示すブロック図である。
【符号の説明】
【００９０】
１      コントローラ
２      過冷却度算出部
３      代表目標過冷却度算出部
４ａ    凝縮温度設定部
４ｂ    最適目標過冷却度設定部
５      変更部（変更手段）
６      インバータ制御部（容量調整手段）
７      リモコン
８ａ    目標過冷却度設定部
８ｂ    制御関数
９      膨張弁制御部（減圧量調整手段）
１０      空気調和装置
１１      室外機
１２      室内機
２０      冷媒回路
２１      圧縮機
２２      四路切換弁
２３      室外熱交換器
２４      室外膨張弁
２５      レシーバ
２６      室内膨張弁（膨張機構）
２７      室内熱交換器（凝縮器）
３１      室内温度センサ
３２      第１冷媒温度センサ
３３      第２冷媒温度センサ
３４      逆止弁ブリッジ回路
３５      低圧圧力センサ
３６      高圧圧力センサ
【図１】
0005034066.tif 000002
【図２】
0005034066.tif 000003